(57)【要約】      （修正有）【課題】植栽用鉢のサイズを問わず、また、収納上の問題を解消することができる植栽用鉢カバーを提供する。【解決手段】貫通孔４を有する略矩形の板状体で構成された複数のシート部材２が環状に連結されて構成され、植栽用鉢を上方から装入してシート部材２の上縁３で支持する。シート部材２は、本体部と、本体部の相対向する側壁に設けられた連結機構とを有し、連結機構は、側壁に間欠的に設けられ本体部の主面に沿った方向に伸びる差込片６，７と、連結される他のシート部材の差込片が挿入される連結孔８，９とが交互に配置されて構成されている。差込片７には差込方向に沿って配列された複数の係止突起１２を備える。【選択図】図３
0003166206.tif 000002
【実用新案登録請求の範囲】
【請求項１】
貫通孔を有する略矩形の板状体で構成された複数のシート部材が環状に連結されて構成され、植栽用鉢を上方から装入して前記シート部材の上縁で支持する植栽用鉢カバーであって、
前記シート部材は、本体部と、前記本体部の相対向する側壁に設けられた連結機構とを有し、
前記連結機構は、前記側壁に間欠的に設けられ前記本体部の主面に沿った方向に伸びる差込片と、連結される他のシート部材の差込片が挿入される連結孔とが交互に配置されて構成されていることを特徴とする、植栽用鉢カバー。
【請求項２】
前記連結機構を構成する差込片と連結孔は、相対向する側壁で千鳥状に構成されていることを特徴とする、請求項１に記載の植栽用鉢カバー。
【請求項３】
前記差込片は、前記連結孔の周縁に係合する係止突起を複数備え、前記係止突起は、前記差込片の差込方向に沿って配列されていることを特徴とする、請求項１又は２に記載の植栽用鉢カバー。
【請求項４】
複数枚を環状に連結して、植栽用鉢を上方から装入して前記シート部材で支持する植栽用鉢カバーを構成する、貫通孔を有する略矩形の板状体で構成されたシート部材であって、
前記シート部材は、本体部と、前記本体部の相対向する側壁に設けられた連結機構とを有し、
前記連結機構は、前記側壁に間欠的に設けられ前記本体部の主面に沿った方向に伸びる差込片と、連結される他のシート部材の差込片が挿入される連結孔とが交互に配置されて構成されていることを特徴とする、植栽用鉢カバー用シート部材。
【考案の詳細な説明】
【技術分野】
【０００１】
本考案は、植物を植栽する植木鉢、又はプランターなどの植栽用鉢に充填された土の温度上昇を防止する植栽用鉢カバー及び植栽用鉢カバーを構成するシート部材に関する。
【背景技術】
【０００２】
家庭で使用されている植木鉢、またはプランター等のプラスチック製の植栽用鉢に充填された土は、特に夏季において、太陽光の照射や外気温の上昇に伴い、かなりの高温となることが知られている。この土の温度の上昇は、土の乾燥や暑さに弱い植物などに悪影響を与える。土の温度上昇は、もっぱら植栽用鉢の外側壁部分に太陽光が照射されることにより引き起こされることが分かっており、従来は、水を頻繁にかけるか、植栽用鉢を日陰に移動させることが行なわれていた。
【０００３】
しかし、土の温度上昇を防ぐために植栽用鉢を日陰に移動させることは面倒であるし、植物の成長という点からは好ましくない。すなわち、植物を元気に成長させるためには、葉に日光を十分に照射できるようにし、光合成を促進させることが望まれている。
【０００４】
この問題を解消するために、周壁及び底壁に通気口を有し、植栽用鉢を上から装入可能な容器で構成された植栽用鉢の外カバーが開発されている。この外カバーは、底壁及び側壁の内面にスペーサを設け、当該スペーサにより内部に装入された植栽鉢を支持するものであり、植栽鉢の周囲に壁を設けることで、植栽鉢の周りに直接日光が到達するのを防止するものである。
【先行技術文献】
【特許文献】
【０００５】
【特許文献１】特開２００９−５６号公報
【考案の概要】
【考案が解決しようとする課題】
【０００６】
しかし、上記の外カバーは、植栽用鉢を内部に設けられたスペーサ及びカバー上縁により支持するものであり、植栽用鉢のサイズに応じたものが必要となる。植栽用鉢は、サイズや形状など多種多様のものが存在し、それぞれのサイズに応じた外カバーを用意することは実用的ではなく、利用者の使い勝手もよくないという問題があった。
【０００７】
また、冬期になり土の温度上昇の問題がなくなると、外カバーを外すことが必要となるが、上記の容器状の外カバーは、体積が大きく収納上不便であるという問題があった。
【０００８】
したがって、本考案が解決しようとする技術的課題は、植栽用鉢のサイズを問わず、また、収納上の問題を解消することができる植栽用鉢カバーを提供することである。
【課題を解決するための手段】
【０００９】
本考案は、上記技術的課題を解決するために、以下の構成の植栽用鉢カバーを提供する。
【００１０】
本発明の第１態様によれば、貫通孔を有する略矩形の板状体で構成された複数のシート部材が環状に連結されて構成され、植栽用鉢を上方から装入して前記シート部材で支持する植栽用鉢カバーであって、
前記シート部材は、本体部と、前記本体部の相対向する側壁に設けられた連結機構とを有し、
前記連結機構は、前記側壁に間欠的に設けられ前記本体部の主面に沿った方向に伸びる差込片と、連結される他のシート部材の差込片が挿入される連結孔とが交互に配置されて構成されていることを特徴とする、植栽用鉢カバーを提供する。
【００１１】
本発明の第２態様によれば、前記連結機構を構成する差込片と連結孔は、相対向する側壁で千鳥状に構成されていることを特徴とする、第１態様の植栽用鉢カバーを提供する。
【００１２】
本発明の第３態様によれば、前記差込片は、前記連結孔の周縁に係合する係止突起を複数備え、前記係止突起は、前記差込片の差込方向に沿って配列されていることを特徴とする、第１又は第２態様の植栽用鉢カバーを提供する。
【００１３】
本発明の第４態様によれば、複数枚を環状に連結して、植栽用鉢を上方から装入して前記シート部材で支持する植栽用鉢カバーを構成する、貫通孔を有する略矩形の板状体で構成されたシート部材であって、
前記シート部材は、本体部と、前記本体部の相対向する側壁に設けられた連結機構とを有し、
前記連結機構は、前記側壁に間欠的に設けられ前記本体部の主面に沿った方向に伸びる差込片と、連結される他のシート部材の差込片が挿入される連結孔とが交互に配置されて構成されていることを特徴とする、植栽用鉢カバー用シート部材を提供する。
【考案の効果】
【００１４】
本発明によれば、板状体で構成された複数のシート部材を連結することによって植栽用鉢カバーを構成するため、連結枚数に応じたサイズとすることができる。また、シート部材を連結する連結機構は、シート部材の本体部の主面に沿った方向に伸びる差込片を有するため、シート部材をその面に沿った方向に差し込むことで容易につなげることができ、さらに、シート部材の厚み寸法を小さくすることができ、収納時の問題を解消することができる。
【００１５】
また、周方向に沿ってシート部材を連結させることで、植栽用鉢の外周寸法に応じたサイズに調整することができ、種々の大きさに応じた植栽用鉢に用いることができる。
【００１６】
また、連結機構を構成する差込片と連結孔を複数設け、相対向する側壁で互いに千鳥状に構成することにより、同じ形状のシート部材を同じ方向に連続して連結させることができ、さらに、シート部材を強固に連結させることができる。
【００１７】
差込片の係止突起を差込方向に沿って複数配置することにより、差込片の連結孔への挿入幅を調整することができ、植栽用鉢カバーの径寸法を微調整することができる。また、
【図面の簡単な説明】
【００１８】
【図１】本考案の実施形態にかかる植栽用鉢カバーの外観構成を示す図である。
【図２】図１の植栽用鉢カバーに用いられるシート部材の表面側の構成を示す斜視図である。
【図３】図２のシート部材の裏面側の構成を示す斜視図である。
【図４】図２のシート部材の左側連結機構の構成を示す拡大斜視図である。
【図５】図２のシート部材の右側連結機構の構成を示す拡大斜視図である。
【図６】図２のシート部材の連結時の状態を示す拡大斜視図である。
【図７】図２のシート部材の連結時の状態を示す表面側の斜視図である。
【考案を実施するための形態】
【００１９】
以下、本考案の一実施形態に係る植栽用鉢カバーについて、図面を参照しながら説明する。
【００２０】
図１は、本考案の実施形態にかかる植栽用鉢カバーの外観構成を示す図である。本実施形態にかかる植栽用鉢カバー１は円筒状であり、図示するように上側から植栽用鉢１００を装入し、上縁３で植栽用鉢のカラー１０２を支持する。
【００２１】
植栽用鉢カバー１は、植栽用鉢１００の周囲に壁を設けることで、植栽用鉢１００の側壁１０１に直射日光を遮蔽して、植栽用鉢１００内の土の温度上昇を防止するためのものである。また、シート部材２は、表面に多数の貫通孔４が設けられており、植栽用鉢１００の周囲に形成された空間の換気を行ない、植栽用鉢１００の周囲の空気が高温にならないようにし、さらに、植栽用鉢へ新鮮な空気が届きやすいようになっている。
【００２２】
植栽用鉢カバー１の高さ寸法は、植栽用鉢１００を支持した状態で底壁１０３が地面から浮いた状態となるように支持されるようになっていることが好ましく、植栽用鉢１００の底壁１０３に設けられた水抜き孔からの水の流れを良くし、根腐れなどを防止することができる。
【００２３】
植栽用鉢カバー１は、６枚のシート部材２を環状に連結して構成されている。植栽用鉢カバー１を構成するためのシート部材２の数は、植栽用鉢１００の外径寸法に応じて適宜調整することができる。
【００２４】
図２及び図３は、図１の植栽用鉢カバーに用いられるシート部材の構成を示す斜視図であり、図２は表面側を、図３は裏面側の構成を示している。
【００２５】
植栽用鉢カバー１に用いられるシート部材２は、複数枚を環状に連結して植栽用鉢カバー１を構成するものであり、貫通孔を有する略矩形の板状体である。シート部材２は、本体部５と連結機構６，７，８，９とを備える。
【００２６】
本体部５は、下方が若干狭くなるように構成された台形の板状の部材であり、多数の貫通孔４が設けられている。本体部５の幅寸法が下方へ向かうにつれて小さくなっているのは、植栽用鉢カバー１をくみ上げたときに、上方が大径となるようにするためである。
【００２７】
本実施形態では、本体部５は、上側幅寸法Ｗｕが２５ｃｍ、下側幅寸法Ｗｂが２０ｃｍ、高さ寸法Ｌが３５ｃｍに構成されている。なお、本体部５の寸法は、用いる植栽用鉢のサイズに応じて適宜決定することができる。また、本体部５の厚み寸法は、本実施形態では、おおむね１．５ｍｍ程度に構成されている。
【００２８】
図２及び図３に示すように、本体部５の側縁には全長にわたって補強側壁１０が設けられている。また、本体部５の裏面には、本体部５の高さ方向全長にわたって伸びる補強中壁１１が設けられている。補強側壁１０及び補強中壁１１は、植栽用鉢カバーが植栽用鉢の重みにより撓むのを防止するとともに、植栽用鉢の装入時に植栽用鉢の外面に当接してこれを安定して支持する。
【００２９】
本実施形態において、本体部５は、幅方向に撓むことができるが、高さ方向には補強側壁１０及び補強中壁１１によって撓まないように構成されている。従って、連結したシート部材２を撓ませて図１に示すように環状に連結することもできる。なお、本体部５に剛性材料を用い、撓まないように構成してもよい。また、本体部５は平板状だけではなく、予め幅方向に屈曲させた状態に構成してもよい。このように屈曲した本体部を用いることにより、多角形の植栽用鉢カバーとすることができる。
【００３０】
連結機構６，７，８，９は、本体部の相対向する側壁に設けられており、複数のシート部材を幅方向に連結するためのものである。連結機構は、左側面に設けられている連結機構として左差込片６と左連結孔８を備え、右側面に設けられている連結機構として右差込片７と右連結孔９を備える。
【００３１】
左右の差込片６，７及び連結孔８，９は、それぞれの側面に沿って互いに交互に配置されている。また、左右の連結機構は、互いに千鳥状になるように構成されており、左側連結機構は、上から、連結孔８、差込片６、連結孔８となり、左側連結機構は、上から差込片７、連結孔９、差込片７、となるように構成されている。
【００３２】
なお、本実施形態では、図示するように、右差込片６及び左差込片７は、それぞれ６つ及び７つ設けられており、右連結孔８及び左連結孔９は、それぞれ７つ及び６つ設けられている。これらの個数は、シート部材のサイズや連結強度などに応じて適宜変更することができる。
【００３３】
右差込片６及び左差込片７は、本体部５の主面に沿った方向に伸びるように構成された薄片である。また、右連結孔８及び左連結孔９は、右差込片６及び左差込片７を装入可能に構成されている貫通孔であり、補強側壁１０と本体部５の接続部分に設けている。本実施形態においては、右差込片６及び左差込片７の幅寸法は、それぞれ５ｃｍ程度に構成されている。
【００３４】
本実施形態にかかるシート部材によれば、連結機構である差込片６，７を本体部５の主面に沿った方向に伸びるように構成しているため、シート部材２の厚み寸法を小さくすることができる。また、連結する枚数を変更することで装入する植栽用鉢のサイズに応じた植栽用鉢カバーとすることができる。
【００３５】
図４は、連結機構の構成を示す拡大図である。なお、図４では、左側連結機構の構成を中心として説明を行なうが、右側連結機構も同様に構成できる。図４に示すように、差込片６は、本体部５の表面に対し、高さＨだけ下側に設けられている。高さＨは、おおむね本体部５の厚み寸法と同程度に構成されている。
【００３６】
また、連結孔８は、差込片６と同様に、高さＨ分だけ下側に設けられている。このため、差込片６が連結孔８に装入されたとき、差込片６の上面６ａは、本体部５の裏面に接触した状態となり、連結時のガタツキを防止し、本体部５の表面高さをフラットにすることができる。
【００３７】
一方で、連結時のガタツキ防止のために、差込片と連結孔との接触が密になるようにすると、連結動作が煩雑になるため、差込片６の先端部に厚み寸法を小さくした薄肉部６ｂが設けられている。
【００３８】
また、連結孔８は、上記のように本体部５と補強側壁１０との接続部分に設けられているため、連結孔８が設けられている位置における本体部５の側縁５ａは、補強側壁１０の厚み寸法Ｄ分だけ内側となる。このため、差込片６が設けられている位置の本体部側縁５ｂは、厚み寸法Ｄだけ外側に突出させることが好ましい。このように本体部５の側縁の形状を凹凸にすることにより、連結時のシート部材間の連結部分に生じる隙間を目立たなくすることができる。
【００３９】
図５は、右側連結機構の構成を示す拡大斜視図である。図５に示すように、右側連結機構の差込片７の裏面７ｃには、シート部材の連結時に連結孔８の周縁に係合する係止突起１２が設けられている。なお、本実施形態では図３に示すように、係止突起１２は上下端近傍に存在する右差込片７の一部にのみ設けられているが、すべての差込片に設けてもよい。
【００４０】
なお、最上部の差込片７は、植栽用鉢の重みで各連結シートが広がろうとする力がもっとも強く働くため、上側に沿って係止突起１２を設けている。
【００４１】
係止突起１２は、鋸歯形状の突起であり、さほど抵抗なく差込片７を連結孔への挿入することができる一方、挿入後は連結孔の周縁に係止して差込片７の脱落を防止する。係止突起１２は、差込片の挿入方向に対して配列されて設けられており、差込片の挿入幅を細かく調整することができる。係止突起１２のピッチは特に制限されるものではないが、本実施形態では約２ｍｍである。
【００４２】
図６は、シート部材の連結時の状態を示す拡大斜視図である。図７は、シート部材の連結時の状態を示す表面側の斜視図である。図では連結するシート部材を区別するために、図示左側のシート部材を２−１、右側のシート部材を２−２と枝番を付して説明する。以下、必要に応じて他の部材についても同様に枝番をつけて説明する。
【００４３】
図６に示す例では、左側のシート部材２−１の連結孔９に右側のシート部材２−２の右差込片７が挿入され、右側のシート部材２−２の連結孔８に左側のシート部材２−１の左差込片６が挿入される状態を示している。
【００４４】
本実施形態にかかるシート部材２は、連結機構として、差込片６，７と連結孔８，９が交互に近接して配置されているため、図６、図７に示すように、差込の途中において、差込片６，７の表面側が連続して配置され、シート部材の間に隙間を生じさせることがない。このため、美観的に優れた植栽用鉢カバーとすることができる。
【００４５】
また、右差込片７の裏面に設けられている警視突起１２が差込片の挿入方向に配列して設けられているため、差込途中のどの位置においてもシート部材同士を連結することができる。すなわち、１つのシート部材２について、最大差込片６，７の幅寸法（５ｃｍ）分の調整代を確保することができ、図１に示す６枚のシート部材２を連結した植栽用鉢カバーでは、約３０ｃｍ分の周方向長さを調整することができる。このため、装入される植栽用鉢のサイズに対応して差込幅を調整し、多種多様な植栽用鉢に適応した植栽用鉢カバーとすることができる。
【００４６】
以上説明したように、本考案の植栽用鉢カバーによれば、植栽用鉢１００の周囲に壁を設けることで、植栽用鉢１００の側壁１０１に直射日光を遮蔽して、植栽用鉢１００内の土の温度上昇を防止することができる。
【００４７】
また、複数のシート部材２を連結することによって植栽用鉢カバーを構成するため、連結枚数に応じたサイズとすることができる。また、シート部材２を連結する連結機構は、シート部材の本体部の主面に沿った方向に伸びる差込片６，７を有するため、シート部材２をその面に沿った方向に差し込むことで容易につなげることができ、さらに、シート部材２の厚み寸法を小さくすることができ、収納時の問題を解消することができる。
【００４８】
なお、本考案は上記実施形態に限定されるものではなく、その他種々の態様で実施可能である。例えば、上記実施形態では、環状の植栽用鉢カバーとしているが、直角に屈曲した本体部５を用いることで矩形の鉢カバーを構成することができる。
【符号の説明】
【００４９】
１  植栽用鉢カバー
２  シート部材
３  上縁
４  貫通孔
５  本体部
６  左差込片
７  右差込片
８  左連結孔
９  右連結孔
１０  補強側壁
１１  補強中壁
１２  係止突起
１００  植栽用鉢
【図１】
0003166206.tif 000003
【図２】
0003166206.tif 000004
【図３】
0003166206.tif 000005
【図４】
0003166206.tif 000006
【図５】
0003166206.tif 000007
【図６】
0003166206.tif 000008
【図７】
0003166206.tif 000009